(57)【要約】【課題】　個人用情報端末器のページめくり装置及び方法を提供する。【解決手段】　ユーザの指動きの軌跡を感知する指動き感知部と、前記指動き感知部から感知された軌跡の特徴を抽出する特徴抽出部と、前記特徴抽出部により抽出された特徴がページめくりに適した特徴かどうかを判断する適合如何判断部と、前記適合如何判断部の判断結果、ページめくりに適した特徴であれば出力装置にめくられたページを出力するページめくり実行部と、を含むページめくり装置。これにより、ユーザに実際にページをめくる動作のような自然な感じを与えて使用の便宜性を高めることができる。【選択図】　　　図５
2004078957.tif 000002
【特許請求の範囲】
【請求項１】
　個人用情報端末器のページめくり装置において、
　ユーザの指動きの軌跡を感知する指動き感知部と、
　前記指動き感知部の感知に基づいて出力装置と協働してページめくりを実行するページめくり実行部と、
を含むページめくり装置。
【請求項２】
　個人用情報端末器のページめくり装置において、
　ユーザの指動きの軌跡を感知する指動き感知部と、
　前記指動き感知部から感知された軌跡の特徴を抽出する特徴抽出部と、
　前記特徴抽出部により抽出された特徴がページめくりに適した特徴かどうかを判断する適合如何判断部と、
　前記適合如何判断部の判断結果に基づいて、ページめくりに適した特徴であれば出力装置に次のページを出力するページめくり実行部と、
を含むページめくり装置。
【請求項３】
　前記指動き感知部はタッチスクリーンである、請求項２に記載のページめくり装置。
【請求項４】
　前記特徴は前記軌跡の方向、長さ、連続性を含む、請求項２に記載のページめくり装置。
【請求項５】
　前記ページめくり実行部は、
　ページがめくられる過程を示すアニメーション及び効果音をさらに出力する、請求項２に記載のページめくり装置。
【請求項６】
　前記個人用情報端末器はＰＤＡ、ノートパソコンを含む、請求項２に記載のページめくり装置。
【請求項７】
　個人用情報端末器のページめくり装置において、
　ユーザの指タッチを感知する第１ソフトタッチセンサーと第２ソフトタッチセンサーと、
　前記第１ソフトタッチセンサーと前記第２ソフトタッチセンサーとが前記ユーザの指タッチを所定の時間差をおいて感知した場合、出力装置に次のページを出力するページめくり実行部と、
を含むページめくり装置。
【請求項８】
　個人用情報端末器のページめくり装置において、
　ユーザの指動きを感知する光センサーを含むユーザの指動き感知部と、
　前記光センサーが前記ユーザの指動きを感知すれば、出力装置に次のページを出力するページめくり実行部と、
を含むページめくり装置。
【請求項９】
　前記ユーザの指動き感知部は第１光センサーと第２光センサーとを含み、
　前記第１光センサーの発光素子と受光素子との間を通るユーザの指により前記受光素子が受信する光量が減少し、
　前記第２光センサーの発光素子と受光素子との間を通るユーザの指により前記受光素子が受信する光量が減少し、
　前記第１光センサーの受光素子と前記第２光センサーの受光素子とが受信する光量が減少する時間差により前記ユーザの指動きを感知する、請求項８に記載のページめくり装置。
【請求項１０】
　個人用情報端末器でページをめくる方法において、
　ユーザの指動きの軌跡を感知する段階と、
　前記指動き感知部の感知に基づいて出力装置と協働してページめくりを実行する段階と、
を含むページめくり方法。
【請求項１１】
　個人用情報端末器でページをめくる方法において、
　ユーザの指動きの軌跡を感知する段階と、
　前記感知された軌跡の特徴を抽出する段階と、
　前記抽出された特徴がページめくりに適した特徴かどうかを判断する段階と、
　前記判断結果に基づいて、ページめくりに適した特徴であれば出力装置に次のページを出力する段階と、を含むページめくり方法。
【請求項１２】
　前記指動きの軌跡はタッチスクリーンにより感知される、請求項１１に記載のページめくり方法。
【請求項１３】
　前記特徴は前記軌跡の方向、長さ、連続性を含む、請求項１１に記載のページめくり方法。
【請求項１４】
　前記出力する段階は、
　ページがめくられる過程を示すアニメーション及び効果音をさらに出力する、請求項１１に記載のページめくり方法。
【請求項１５】
　前記個人用情報端末器は、ＰＤＡ、ノートパソコンを含む、請求項１１に記載のページめくり方法。
【請求項１６】
　個人用情報端末器でページをめくる方法において、
　第１ソフトタッチセンサーと第２ソフトタッチセンサーとによりユーザの指タッチを感知する段階と、
　前記第１ソフトタッチセンサーと前記第２ソフトタッチセンサーとが前記ユーザの指タッチを所定の時間差をおいて感知した場合、出力装置にめくられたページを出力する段階と、
を含むページめくり方法。
【請求項１７】
　個人用情報端末器でページをめくる方法において、
　光センサーによりユーザの指動きを感知する段階と、
　前記光センサーが前記ユーザの指動きを感知すれば、出力装置に次のページを出力する段階と、を含むページめくり方法。
【請求項１８】
　前記光センサーは第１光センサーと第２光センサーとを含み、
　前記指動きを感知する段階は、
　前記第１光センサーの発光素子と受光素子との間を通るユーザの指により前記受光素子が受信する光量が減少し、
　前記第２光センサーの発光素子と受光素子との間を通るユーザの指により前記受光素子が受信する光量が減少し、
　前記第１光センサーの受光素子と前記第２光センサーの受光素子とが受信する光量が減少する時間差により前記ユーザの指動きを感知する、請求項１７に記載のページめくり方法。
【発明の詳細な説明】
【技術分野】
【０００１】
　本発明は個人用情報端末器においてページをめくる装置及び方法に係り、特に、ユーザの指動きを利用してページをめくる装置及び方法に関する。
【背景技術】
【０００２】
　最近コンピュータ分野の飛躍的な技術発展により個人用情報端末器の需要が爆発的に増加しつつあり、このような個人用情報端末器に電子出版の概念を合わせた電子ブックの普及が急速に拡大している。現在使われる電子ブックの場合には図１に示したように個人用情報端末器１００に提供されたページアップボタン１２０、あるいはページダウンボタン１３０などの物理的ボタンやグラフィックユーザインターフェースを利用したソフトウェアボタン１１０を利用してページめくりが可能である。
【０００３】
　このような場合に、比較的簡便にシステムを構成して利用することはできるが、既存の本をめくる動作と不一致であるために電子ブックの使用において実際に本を読む時とは異なる不自然な感じがあって、電子媒体に対する抵抗感・拒否感を与える恐れがある。
【発明の開示】
【発明が解決しようとする課題】
【０００４】
　本発明は前記のような問題点を解決してユーザに既存の本を読む時のページをめくる動作と同じ自然な感じを与えて使用の便宜性を高めうる個人用情報端末器のページめくり装置及び方法を提供することを目的とする。
【課題を解決するための手段】
【０００５】
　前記のような課題を解決するための本発明の一特徴は、個人用情報端末器のページめくり装置において、ユーザの指動きの軌跡を感知する指動き感知部と、前記指動き感知部の感知に基づいて出力装置と協働してページめくりを実行するページめくり実行部と、を含むことである。
　本発明の他の特徴は、個人用情報端末器のページめくり装置において、ユーザの指動きの軌跡を感知する指動き感知部と、前記指動き感知部から感知された軌跡の特徴を抽出する特徴抽出部と、前記特徴抽出部により抽出された特徴がページめくりに適した特徴かどうかを判断する適合如何判断部と、前記適合如何判断部の判断結果に基づいて、ページめくりに適した特徴であれば出力装置に次のページを出力するページめくり実行部と、を含むことである。
【０００６】
　本発明のさらに他の特徴は、個人用情報端末器のページめくり装置において、ユーザの指タッチを感知する第１ソフトタッチセンサーと第２ソフトタッチセンサーと、前記第１ソフトタッチセンサーと前記第２ソフトタッチセンサーとが前記ユーザの指タッチを所定の時間差をおいて感知すれば、出力装置にめくられたページを出力するページめくり実行部と、を含むことである。
【０００７】
　本発明のさらに他の特徴は、個人用情報端末器のページめくり装置において、ユーザの指動きを感知する光センサーを含むユーザの指動き感知部と、前記光センサーが前記ユーザの指動きを感知すれば、出力装置にめくられたページを出力するページめくり実行部と、を含むことである。
　望ましくは、前記ユーザの指動き感知部は第１光センサーと第２光センサーとを含み、前記第１光センサーの発光素子と受光素子との間を通るユーザの指により前記受光素子が受信する光量が減少し、前記第２光センサーの発光素子と受光素子との間を通るユーザの指により前記受光素子が受信する光量が減少し、前記第１光センサーの受光素子と前記第２光センサーの受光素子とが受信する光量が減少する時間差により前記ユーザの指動きが感知される。
【０００８】
　本発明のさらに他の特徴は、個人用情報端末器でページをめくる方法において、ユーザの指動きの軌跡を感知する段階と、前記指動き感知部の感知により出力装置と協働してページめくりを実行する段階と、を含むことである。
　本発明のさらに他の特徴は、個人用情報端末器でページをめくる方法において、ユーザの指動きの軌跡を感知する段階と、前記感知された軌跡の特徴を抽出する段階と、前記抽出された特徴がページめくりに適した特徴かどうかを判断する段階と、前記判断結果、ページめくりに適した特徴であれば出力装置にめくられたページを出力する段階と、を含むことである。
【０００９】
　本発明のさらに他の特徴は、個人用情報端末器でページをめくる方法において、第１ソフトタッチセンサーと第２ソフトタッチセンサーとによりユーザの指タッチを感知する段階と、前記第１ソフトタッチセンサーと前記第２ソフトタッチセンサーとが前記ユーザの指タッチを所定の時間差をおいて感知すれば、出力装置にめくられたページを出力する段階と、を含むことである。
【００１０】
　本発明のさらに他の特徴は、個人用情報端末器でページをめくる方法において、光センサーによりユーザの指動きを感知する段階と、前記光センサーが前記ユーザの指動きを感知すれば、出力装置にめくられたページを出力する段階と、を含むことである。
　望ましくは、前記光センサーは第１光センサーと第２光センサーとを含み、前記指動きを感知する段階は、前記第１光センサーの発光素子と受光素子との間を通るユーザの指により前記受光素子が受信する光量が減少し、前記第２光センサーの発光素子と受光素子との間を通るユーザの指により前記受光素子が受信する光量が減少し、前記第１光センサーの受光素子と前記第２光センサーの受光素子とが受信する光量が減少する時間差により前記ユーザの指動きを感知する。
【発明の効果】
【００１１】
　本発明によれば、ユーザに実際にページをめくる動作のような自然な感じを与えて使用の便宜性を高めることができる。
【発明を実施するための最良の形態】
【００１２】
　以下、添付した図面を参照して本発明を詳細に説明する。
　図２を参照して本発明によるページめくり方法を概略的に説明する。ＰＤＡやノートパソコンなどのような個人用情報端末器に電子ブックを具現する場合、ユーザは図２（Ａ）に示したように左手２１０で情報端末器２００を持って、右手２２０を利用してページをめくるが、情報端末器の右側下段部に人差し指を触れ図２（Ｂ）、実際に本をめくるように右側から左側に動かす動作をすれば図２（Ｃ）、図２（Ｄ）、本発明によるページめくり装置はユーザの指動きを感知し、その動きの特徴を抽出してページめくり動作に適した特徴であると判断されればページめくりを実行する。
【００１３】
　このようにユーザは物理的なボタンなしでも既存の本をめくるような動作により情報端末器にディスプレイされるページをめくることができる。
　さて、図３を参照して本発明によるページめくり装置の一例を説明する。
　図３に示したページめくり装置３００は指動き感知部３１０と、特徴抽出部３２０と、適合如何判断部３３０と、ページめくり実行部３４０とを含む。
【００１４】
　指動き感知部３１０は本をめくるためのユーザの指動きを感知するセンサー部であって、ユーザの指が指動き感知部に初めて接触して離れるまでの指動きの軌跡を獲得する。例えば、指動き感知部３１０は、ユーザの指が指動き感知部３１０に初めて接触した位置座標Ｐ１と、指動き感知部３１０から離れた位置座標Ｐ２を検出することにより指の動きの軌跡を検出する。前記指動き感知部３１０は個人用情報端末器のいかなる部分にも設置できるが、実際のページめくり動作に近く実行するためには、個人用情報端末器の右側下段の隅部に設置することが望ましく、ページを前にめくるために個人用情報端末器の左側下段の隅部に設置することもできる。また、前記指動き感知部３１０はＰＤＡなどの個人用情報端末器で文字認識のための文字入力手段として主に使われるタッチスクリーンを利用でき、動きを感知する機能を有するいかなる手段でも可能である。
【００１５】
　特徴抽出部３２０は前記指動き感知部３１０から受信した指動きの軌跡に関する特徴情報をイメージプロセシング技法などを通じて抽出する。特徴情報には、指が指動き感知部に触れ始めた開始点から最後に指を離した停止点までの長さと、指の動きが左側から右側に向かったか、右側から左側に向かったかの方向と、指動きの軌跡の連続性有無などがある。
【００１６】
　具体的には、特徴抽出部３２０は、例えば次のように特徴を抽出する。指動き感知部３１０により検出されたユーザの指が指動き感知部３１０に初めて接触した位置座標Ｐ１と、指動き感知部３１０から離れた位置座標Ｐ２とに基づいて、Ｘ方向及びＹ方向の変化量を算出する。そして、開始点の位置座標Ｐ１から最後に指を離した停止点の位置座標Ｐ２までの長さ、指の動き方向や軌跡の連続性を検出する。
【００１７】
　次に、適合如何判断部３３０は前記特徴抽出部３２０から抽出された特徴情報に基づいてページめくりのためのユーザの指動きかどうかを判断して、ページめくりに適合すると判断されればページめくり実行部にページめくりの実行を命令する。ページめくりの動きに適しているかどうかは、例えば、指動きの軌跡の長さが所定の臨界値を超えるか、指の動き方向が左側から右側に向かうか、右側から左側に向かうか、指動きの軌跡に途切れがあるかどうかなどにより判断できる。指動き軌跡の長さが所定の臨界値を超えなかったり、指の動き方向が左側から右側に向かうのでもなく、右側から左側に向かうのでもないと判断されたり、指動きの軌跡に途切れがあればページめくりの実行に適していない特徴と判断してページめくり装置の実行を終了する。
【００１８】
　次に、適合如何判断部３３０からページめくり実行命令を受信したページめくり実行部３４０は出力部に次のページを出力することによりページめくりを実行する。この時、例えば、特徴抽出部から抽出した特徴のうち軌跡の方向が左側から右側に向かう場合にはページ番号が増加する方向にページめくりを実行し、軌跡の方向が右側から左側に向かう場合にはページ番号が減少する方向にページめくりを実行する。また、ページめくり実行部３４０は単純に次のページを出力することだけでなくページをめくる過程のアニメーションやページをめくる時に出る音響を共に出力することによってページめくり動作をさらに実際のように実現できる。
【００１９】
　さて、図４及び図５を参照して、本発明によるページめくり動作を具体的に説明する。
　まず、右側下段部５１０に指動き感知部３１０が設置された個人用情報端末器５００を例に挙げて説明する。ユーザが個人用情報端末器５００の指動き感知部に指５３０を触れて所定距離を動かせば、指動き感知部３１０はユーザの指動きを感知して（段階４１０）、ユーザの指動きの軌跡を獲得する（段階４２０）。
【００２０】
　次に、特徴抽出部３２０が前記指動き軌跡の特徴を抽出する。具体的には、（段階４３０）。そして、適合如何判断部３３０は前記抽出された特徴に基づいて指動き軌跡５２０が所定の長さを超えるか、軌跡はどの方向に進むか、軌跡に途切れはないかなどを検査して前記特徴がページめくり動作に適しているかどうかを判断する（段階４４０）。
　そして、前記適合如何判断部３３０の判断結果、ページめくり動作に適していない特徴であればそのまま終了し、ページめくり動作に適した特徴であればページめくり実行部３４０はページ移動を実行して出力部に出力する（段階４５０）。
【００２１】
　図６に本発明によるページめくり装置において指動き感知部３１０の第２実施例が図示されている。
　第２実施例で指動き感知部６１０として使用したものは、指をそっと触れるだけでタッチを感知するソフトタッチセンサーである。
　二つのソフトタッチセンサー６１１、６１２を設置することによって簡単に方向を確認できる。例えば、個人用情報端末器６００において、第１ソフトタッチセンサー６１２が第２ソフトタッチセンサー６１１の右側に位置するように配置されている場合、ユーザの指が第１ソフトタッチセンサー６１２から第２ソフトタッチセンサー６１１にそっと触れて過ぎれば、第１ソフトタッチセンサー６１２が先にタッチを感知し、所定時間後に第２ソフトタッチセンサー６１１がタッチを感知することによって指が右側から左側に移動するということがわかるので、ページめくり動作を実行する。具体的には、指動き感知部６１０は、第１ソフトタッチセンサー６１２及び第２ソフトタッチセンサー６１１のそれぞれの感知時間Ｔ１及びＴ２を記憶し、感知時間Ｔ１とＴ２との差分に基づいて指の動きを検出する。
【００２２】
　第２実施例によってソフトタッチセンサーを指動き感知部として使用するページめくり装置は指の動きの軌跡に関する特徴を抽出する必要がないので、図３に示したページめくり装置において特徴抽出部３２０は不要であり、ソフトタッチセンサーとして具現される指動き感知部３１０と、適合如何判断部３３０と、ページめくり実行部３４０とで具現できる。
【００２３】
　図７には本発明によるページめくり装置において指動き感知部３１０の第３実施例が図示されている。
　第３実施例で指動き感知部７１０として使用したものは受光素子と発光素子とよりなる光センサーである。
　受光素子と発光素子とを利用して動きを感知する基本原理は次の通りである。発光素子７２１と受光素子７２２とを図７の右側部分のように設置すれば、発光素子７２１が光を出力すれば受光素子７２２は発光素子７２１から出力された光を受信する。この時、ユーザの指７４０が発光素子７２１と受光素子７２２との間を過ぎれば発光素子７２１から出力された光はユーザの指により遮断されて受光素子７２２が受信する光量は減少するために、ユーザの指動きを感知できる。このとき、例えば発光素子７２１と受光素子７２２との間には、溝が形成されており、指が溝をなぞるように移動することで発光素子７２１からの光が遮断され、遮断される光の挙動によりユーザの指動きを感知する。
【００２４】
　このような原理を利用して所定方向の指動きを感知するように光センサーを設置した指動き感知部を図８を参照して詳細に説明する。
　図８に示した指動き感知部７１０は発光素子７２１と受光素子７２２とよりなる一対の光センサーと、発光素子７３１と受光素子７３２とよりなる他の一対の光センサーとを含む。
【００２５】
　ユーザの指７４０が軌跡８００に沿って右側から左側に移動すれば、まず、受光素子７２２が受信する光量が減少し、かつ所定時間後に受光素子７３２が受信する光量が減少するために、光量が減る受光素字の順序によりユーザの指の動きを感知できる。具体的には、指動き感知部７１０は、発光素子７２１と受光素子７２２により検出された光の遮断時間Ｔ３を検出し、また発光素子７３１と受光素子７３２により検出された光の遮断時間Ｔ４を検出する。そして、検出された遮断時間Ｔ３及びＴ４に基づいて指の動きを検出する。
【００２６】
　第３実施例によるページめくり装置も第２実施例と同じく指の動きの軌跡に関する特徴を抽出する必要がないので、図３に示したページめくり装置において特徴抽出部３２０は不要であり、光センサーとして具現される指動き感知部３１０と、適合如何判断部３３０と、ページめくり実行部３４０とで具現できる。
　図９は本発明によるページめくり装置を適用した電子ブックの望ましい例を示す。
【００２７】
　二つの出力装置９１０、９２０を利用して実際の本と同じ形態に付け、出力装置９２０の左側下段隅部には左側から右側への指の動きを感知する手段９２１を設置し、出力装置９１０の右側下段隅部には右側から左側への指の動きを感知する手段９１１を設置する。
　このように具現することによって、例えば本のページを次のページにめくる動きは動き感知手段９１１で感知し、本のページを以前ページを戻す動きは動き感知手段９２１で感知することによって電子ブックのページめくりをさらに現実感に近く実現できる。
【産業上の利用可能性】
【００２８】
　本発明のページめくり装置は、ＰＤＡ、ノートパソコンなどのような個人用情報端末器に電子ブックを具現する場合に適用可能であり、電子ブックを具現できるディスプレイ装置または電子ブックが表示されるディスプレイ装置と接続された任意の入力装置に適用可能である。
【図面の簡単な説明】
【００２９】
【図１】従来の技術による電子ブックのページめくり装置を説明するための図面である。
【図２】本発明による電子ブックのページめくり方法を説明するための図面である。
【図３】本発明によるページめくり装置の構成の一例を示す図面である。
【図４】本発明によるページめくり過程を説明するフローチャートである。
【図５】本発明によるページめくり装置において動き感知センシング部の一実施例を示した図面である。
【図６】本発明によるページめくり装置において動き感知センシング部の他の実施例を示した図面である。
【図７】本発明によるページめくり装置において動き感知センシング部のさらに他の実施例を示した図面である。
【図８】図７に示した光センサーの細部的な構成を示す図面である。
【図９】本発明による電子ブックの他の例を示す図面である。
【符号の説明】
【００３０】
１００、２００、５００：個人用情報端末器
３１０、６１０、７１０：指動き感知部　
３２０：特徴抽出部　
３３０：適合如何判断部　
３４０：ページめくり実行部　
６１１：第２ソフトタッチセンサー　
６１２：第１ソフトタッチセンサー　
７２１、７３１：発光素子　
７２２、７３２：受光素子　
９１０：出力装置　
【図１】
2004078957.tif 000003
【図２】
2004078957.tif 000004
【図３】
2004078957.tif 000005
【図４】
2004078957.tif 000006
【図５】
2004078957.tif 000007
【図６】
2004078957.tif 000008
【図７】
2004078957.tif 000009
【図８】
2004078957.tif 000010
【図９】
2004078957.tif 000011